(57)【要約】デンプン糊付けした織物の連続的な糊抜き法が記載されている。ここでは、酵素混合物及びバクテリア−アルファ−アミラーゼを含有するｐＨ５〜７．５の浴液を含有する浴液中に織物を浸漬させ、その後、高められた温度で処理する。浴液でパディングされた、つまり湿潤した織物を連続な導通が可能な空気乾燥機に導き、前記空気乾燥機中に約１２０℃及び水蒸気含分２５〜３０体積％の雰囲気を生じさせた場合、糊抜きは殊に低コストである。
2006513335.tif 000002
【特許請求の範囲】
【請求項１】
デンプン糊付けし、かつ酵素混合物及びバクテリア−アルファ−アミラーゼを含有するｐＨ５〜７．５の浴液（３）中に浸漬させた織物（１）を、高められた温度で連続的に酵素により糊抜きするための方法において、浴液（３）でパディングされた織物（１）を連続的な導通が可能な空気乾燥機中で処理し、前記空気乾燥機中に約１２０℃及び水蒸気含分２５〜３０体積％の雰囲気を生じさせ、前記雰囲気は湿潤された織物（１）に約６８〜７０℃の作用温度をもたらすことを特徴とする糊抜き法。
【請求項２】
空気乾燥機としてホットフルーを使用する、請求項１記載の方法。
【請求項３】
空気乾燥機として幅出機を使用する、請求項１記載の方法。
【請求項４】
デニム−物品において使用する、請求項１記載の方法。
【発明の詳細な説明】
【技術分野】
【０００１】
本発明は、デンプン糊付けし、かつ酵素混合物及びバクテリア−アルファ−アミラーゼを含有するｐＨ５〜７．５の浴液中に浸漬させた織物を、高められた温度で連続的に酵素により糊抜きするための方法に関する。
【０００２】
この種の方法は、Cognis社のパンフレットに見出し語”Forylase AT”として記載されており；ここで”Forylase”は登録商標である。パンフレットの記載によれば、Forylaseとはデンプン糊付けされた織物を酵素により糊抜きするために適当なバクテリア−アルファ−アミラーゼである。これは連続運転における使用が予定されている。Cognis社の記載によれば、バクテリア−アミラーゼは水溶性物質中のデンプンの迅速かつ完全な分解を確実なものとし、かつ、６０〜１００℃のバクテリア−作用温度範囲で、ｐＨ値５．５〜７．５でその有効性を発揮する。公知の連続法のためには、とりわけ２〜４ｍｌ／バクテリア−アルファ−アミラーゼｌを有する浴液が準備される。糊抜きすべき織物は浴液中に浸漬され、パッド−スチーム−装置中で１００℃で２〜５分間飽和蒸気処理され、引き続き洗浄機中で９５℃で洗浄される。パッド−スチーム−装置の運転には費用がかかる。
【０００３】
長尺物状のセルロース物品を糊抜きするためのもう１つの連続的な方法は、ＷＯ００／１７４３７号に記載されている。この方法の場合、セルロース物品に過−化合物を含有する処理浴液を施与し、糊抜きと精練とを組み合わせる。多くの場合、攻撃的な過−化合物は、例えば環境保護の理由から望ましくない。
【０００４】
ＥＰ０７９７６９８Ｂ１号には、セルロース物品の反応性染色の際の発色固着のための装置が記載されている。この方法の場合、反応性染色剤を含有する染色浴液を物品にパディングする。パッド(Foulard)に、空気乾燥機、例えばホットフルーを後接続する。空気乾燥機は、物品の入口及び出口と制御可能な循環通気機とを有するチャンバ、及び、循環空気中の所定の水蒸気含分を調節するための手段を有する。それにより、攻撃的な化学薬品を必要とすることなく、使用された染色剤の反応性が物品の乾燥に応じて最適なカラーイールドをもたらすことが達成されるはずである。しかしながらこの方法は糊抜きのために予定されたものでもないし、糊抜きに適当でもない。
【０００５】
本発明は、攻撃的な化学薬品も、費用のかかるパッド−スチーム−装置も必要としない、デンプンを含む糊で処理された物品の糊抜きのための連続的方法を達成するという課題に基づいていた。
【０００６】
本発明による解決法は請求項１に記載されている。これは、冒頭に記載された方法に関して、有利に、（酵素混合物並びにバクテリア−アルファ−アミラーゼを含有する）浴液でパディングされた、即ち湿潤された織物の糊抜きを、連続的な導通が可能な空気乾燥機中で行い、前記空気乾燥機中に約１２０℃及び水蒸気−含分約２５〜３０体積％の雰囲気を生じさせ、前記雰囲気は織物に約６８〜７０℃の作用温度をもたらすことである。作用温度（又はバクテリア−作用温度）とは、上記のバクテリアが糊抜きにおいて活性である温度である。本発明の若干の改善及びその他の実施態様は従属請求項に記載されている。
【０００７】
本発明は、アルファ−アミラーゼ中のバクテリア及び酵素混合物は、水蒸気２５〜３０体積％で、上記の狭い作用温度範囲内で殊に良好であるため、デンプン糊付けした織物において、織物又はその繊維を損傷することなく、デンプンを迅速かつ完全に  −規模に応じて２分間で−  分解するという本発明者の洞察に基づく。
【０００８】
本発明により予定された空気乾燥機は、原則的に、ＥＰ０７９７６９８Ｂ１号に記載されているように形成されてよい。根本的に、本発明は、デンプンで糊付けされた織物における糊抜きのために、乾燥機、例えばホットフルー又は幅出機を使用すること、つまり元来全く別の目的のために構想された機器を使用することである。従って本発明は、予めパッド中で酵素混合物及びバクテリア−アルファ−アミラーゼを含有する糊抜き浴液を吸入した織物長尺物を糊抜きするためのそのような空気乾燥機の使用として記載されることもできる。
【０００９】
デンプンを含有する糊を用いて、実際には例えばデニム経糸を処理する。本発明に従って糊抜きすべき織物は、有利にデニム物品である。この物品は、糊付けされかつインジゴ染色された経糸と、一般に白色の緯糸とから成る。本発明によれば、織物−長尺物を、（酵素／アルファ−アミラーゼ−浴液での）パディングの後に、前記の空中湿度及び温度で乾燥させ、引き続き、直ちに洗浄し、その後ステッチングして最後にステッチングされた衣服として効果的に洗浄するか、又は乾燥後にようやくステッチングし、その後、洗浄／効果洗浄することができる。
【００１０】
実施例の概略図をもとに本発明の詳細を説明する。
【実施例】
【００１１】
織機から来る織物１をパッド２中で浴液３に導通させ、引き続き絞り装置４中で脱水し、その後空気乾燥機５中で空気温度約１２０℃で水蒸気含分約２５〜３０体積％で乾燥させる。この雰囲気中で、湿潤された織物は６８〜７０℃のいわゆる冷却限界温度を有し、これは織物の一時的な湿度とは無関係に、使用するバクテリアの作用のために十分に長く一定のままである。空気乾燥機５に続き、織物を第一の洗浄機６、ステッチング部７に導通させ、最後に衣服として第二の洗浄機８に導通して効果的に洗浄することができる。それとは別に、未洗浄であるが糊抜きはされている織物１を直ちにステッチング部に導き、引き続き、衣服として第二の洗浄機８を有する洗浄部に導通させることができる。織物１はもはや長尺物としてではなくステッチングの完成した衣服として第二の洗浄機８に到達する。
【００１２】
空気乾燥機５が（示されているような）ホットフルーである場合、織物１を、空気乾燥機５中で、ループ部１１中の数多くの下方及び上方ガイドローラ９ないし１０を介して導き、ここでノズル１２から、下方及び上方から送風する。ケーシング１３により包囲された、空気乾燥機５のチャンバ１４に、ノズルを通じて、１２０℃及び水蒸気２５〜３０体積％である前記の湿度の循環空気を吹き込む。密封のために、ケーシング１４は織物長尺物のための入口スリット１５及び出口スリット１６を有する。
【図面の簡単な説明】
【００１３】
【図１】本発明の実施態様を示す概略図。
【符号の説明】
【００１４】
１    織物
２    パッド
３    浴液
４    絞り装置
５    空気乾燥機
６    洗浄機
７    ステッチング部
８    洗浄機
９    下方ガイドローラ
１０  上方ガイドローラ
１１  ループ部
１２  送風ノズル
１３  ケーシング
１４  チャンバ
１５  入口スリット
１６  出口スリット
2006513335.tif 000003
【国際調査報告】
2006513335.tif 000004
2006513335.tif 000005
2006513335.tif 000006
2006513335.tif 000007
2006513335.tif 000008
2006513335.tif 000009